(57)【要約】円柱状構造のエレメント（７）を備える車載エアフィルタであって、エレメント（７）の第１端の先端に第１エレメント蓋板（８）が嵌着され、エレメント（７）の第２端の先端に第２エレメント蓋板（１２）が嵌着され、第１エレメント蓋板（８）の第１端の先端が第１送風機（１）に連結され、第２エレメント蓋板（１２）の第２端の先端が第２送風機（２）に連結され、第１送風機（１）と第２送風機（２）との間に支持用の支柱（９）が複数本設けられ、複数本の支柱（９）がエレメント（７）の外部に均一に周設され、支柱（９）にエレメント（７）を覆うためのハウジング（３）が連結され、ハウジング（３）に複数の吸気孔（４）が開設される車載エアフィルタ。
2019507683.tif 000002
【特許請求の範囲】
【請求項１】
円柱状構造のエレメントを備える車載エアフィルタであって、前記エレメントの第１端の先端に第１エレメント蓋板が嵌着され、前記エレメントの第２端の先端に第２エレメント蓋板が嵌着され、前記第１エレメント蓋板の第１端の先端が第１送風機に連結され、前記第２エレメント蓋板の第２端の先端が第２送風機に連結され、前記第１送風機と第２送風機との間に支持用の支柱が複数本設けられ、前記複数本の支柱がエレメントの外部に均一に周設され、支柱にエレメントを覆うためのハウジングが連結され、前記ハウジングに複数の吸気孔が開設される、車載エアフィルタ。
【請求項２】
前記第１送風機と第２送風機は同じ構造を有し、第１送風機と第２送風機は、いずれもケーシングとケーシングに連結されたケーシング蓋板とを備え、前記ケーシング内に送風機本体および風路が設けられ、ケーシングに吹出口が設けられ、前記ケーシング蓋板に風路に連結された吸込口が開設される、請求項１に記載の車載エアフィルタ。
【請求項３】
前記風路は螺旋状構造である、請求項２に記載の車載エアフィルタ。
【請求項４】
前記送風機本体はケーシングの中心の第１側に位置し、前記吹出口はケーシングの中心の第２側に位置する、請求項２に記載の車載エアフィルタ。
【請求項５】
前記支柱は４本であり、矩形構造に分布される、請求項１に記載の車載エアフィルタ。
【請求項６】
前記ハウジングは矩形構造であり、４枚の蓋板から構成され、前記蓋板が支柱に係着され、各蓋板のいずれにも複数の吸気孔が開設される、請求項１に記載の車載エアフィルタ。
【発明の詳細な説明】
【技術分野】
【０００１】
本開示は、自動車部品の分野に関し、例えば、車載エアフィルタに関する。
【背景技術】
【０００２】
人々の生活水準の向上に伴い、中国の国内市場では自動車が次第に普及し、自動車の排気ガスの増加および日々深刻化する環境問題は、車の所有者のＰＭ２．５微粒子の人体への危害についての関心をより一層高めている。これ以外にも、自動車の内装から放出される化学物質、例えば、ホルムアルデヒド、ベンゼン、ＴＶＯＣ（総揮発性有機化合物、Ｔｏｔａｌ  Ｖｏｌａｔｉｌｅ  Ｏｒｇａｎｉｃ  Ｃｏｍｐｏｕｎｄｓ）、臭素なども大気に拡散される。これに加え、空調機内の空気循環により揮発される有害物質も徐々に蓄積され、大気中の粒子、粉塵および有害化学物質などが全て空調システムに侵入し、車内の人の健康を脅かす。
【０００３】
上記の問題に鑑み、車載エアフィルタが登場した。しかし、関連技術による市販の車載エアフィルタには、構造が複雑で濾過効果が悪いという問題が依然として存在するため、これらの問題の解決が急務となっている。
【発明の概要】
【発明が解決しようとする課題】
【０００４】
上記の問題について、本開示は、関連技術において車載エアフィルタの構造が複雑で濾過効果が悪いという問題を解決した車載エアフィルタを提供する。
【課題を解決するための手段】
【０００５】
本開示は、以下の技術的な解決策で実現される。
【０００６】
円柱状構造のエレメントを備える車載エアフィルタであって、前記エレメントの第１端の先端に第１エレメント蓋板が嵌着され、前記エレメントの第２端の先端に第２エレメント蓋板が嵌着され、前記第１エレメント蓋板の第１端の先端が第１送風機に連結され、前記第２エレメント蓋板の第２端の先端が第２送風機に連結され、前記第１送風機と第２送風機との間に支持用の支柱が複数本設けられ、前記複数本の支柱がエレメントの外部に均一に周設され、支柱にエレメントを覆うためのハウジングが連結され、前記ハウジングに複数の吸気孔が開設される、車載エアフィルタ。
【０００７】
オプションとして、前記第１送風機と第２送風機は同じ構造を有し、第１送風機と第２送風機は、いずれもケーシングとケーシングに連結されたケーシング蓋板とを備え、前記ケーシング内に送風機本体および風路が設けられ、ケーシングに吹出口が設けられ、前記ケーシング蓋板に風路に連結された吸込口が開設される。
【０００８】
オプションとして、前記風路は螺旋状構造である。
【０００９】
オプションとして、前記送風機本体はケーシングの中心の第１側に位置し、前記吹出口はケーシングの中心の第２側に位置する。
【００１０】
オプションとして、前記支柱は４本であり、矩形構造に分布される。
【００１１】
オプションとして、前記ハウジングは矩形構造であり、４枚の蓋板から構成され、前記蓋板が支柱に係着され、各蓋板のいずれにも複数の吸気孔が開設される。
【発明の効果】
【００１２】
本開示に係る車載エアフィルタは、構造が簡単でコンパクトであり、エレメントの外部のハウジングに複数の吸気孔を配置することにより、エレメントの周囲の空気が全てエレメントに吸入されて濾過されることができ、空気の吸込量を増加し、且つ、エレメントの両端にそれぞれ送風機が設けられているため、吹出量を効果的に向上させ、濾過効果を大きく向上させる。
【図面の簡単な説明】
【００１３】
【図１】本実施例に係る車載エアフィルタの構成模式図である。
【図２】本実施例に係る車載エアフィルタの分解立体図である。
【発明を実施するための形態】
【００１４】
以下、図面を参照しながら、具体的な実施形態により本開示の技術的手段を説明する。ここで説明する実施例は、本開示を解釈するためのものに過ぎず、本開示を限定するものではないことが理解できる。
【００１５】
図１は、本実施例に係る車載エアフィルタの構成模式図であり、図２は、本実施例に係る車載エアフィルタの分解立体図である。
【００１６】
図１および図２に示すように、本実施例において、車載エアフィルタは、円柱状構造のエレメント７を備え、前記エレメント７の第１端の先端に第１エレメント蓋板８が嵌着され、前記エレメントの第２端の先端に第２エレメント蓋板１２が嵌着され、前記第１エレメント蓋板８の第１端の先端が第１送風機１に連結され、前記第２エレメント蓋板１２の第２端の先端が第２送風機２に連結される。オプションとして、前記第１送風機１と第２送風機２は、同じ構造を有し、いずれもケーシング１１とケーシング１１に連結されたケーシング蓋板１０とを備えてもよい。前記ケーシング１１内に送風機本体１４および風路１３が設けられ、前記風路１３は螺旋状構造であってもよい。前記螺旋状構造は、風路の基本的な原理に基づいて設定されてもよく、風量が大きく、噪音が小さいという利点を有する。ケーシング１１に吹出口５が設けられる。オプションとして、前記送風機本体１４はケーシング１１の中心の第１側に位置し、前記吹出口５はケーシング１１の中心の第２側に位置する。オプションとして、前記ケーシング蓋板１０に、風路１３に連結された吸込口１０１が開設される。オプションとして、前記第１送風機１と第２送風機２との間に支持用の支柱９が４本設けられ、前記４本の支柱９がエレメント７の外部に均一に周設され、矩形構造に分布される。支柱９にエレメント７を覆うためのハウジング３が連結される。オプションとして、前記ハウジング３は矩形構造であり、４枚の蓋板６から構成され、前記蓋板６が支柱９に係着され、各蓋板６のいずれにも複数の吸気孔４が開設される。このような構造を採用することで、外気は周囲からエレメントに入ることができ、吸気量を大きく向上させる。
【００１７】
上記の車載エアフィルタのハウジング３に複数の吸気孔４が配置され、吸気量を向上させ、且つ、ハウジング３の両端にそれぞれ送風機（第１送風機１、第２送風機２）が設けられ、吹出量を効果的に向上させ、さらに、濾過効率を大きく向上させ、構造が簡単で実現しやすい。
【産業上の利用可能性】
【００１８】
本実施例に係る車載エアフィルタは、構造が簡単でコンパクトであり、エレメントの外部のハウジングに複数の吸気孔を配置することにより、エレメントの周囲の空気が全てエレメントに吸入されて濾過されることができ、空気の吸込量を増加し、且つ、エレメントの両端にそれぞれ送風機が設けられているため、吹出量を効果的に向上させ、濾過効果を大きく向上させる。
【符号の説明】
【００１９】
１        第１送風機
２        第２送風機
３        ハウジング
４        吸気孔
５        吹出口
６        蓋板
７        エレメント
８        第１エレメント蓋板
９        支柱
１０      ケーシング蓋板
１０１    吸込口
１１      ケーシング
１２      第２エレメント蓋板
１３      風路
１４      送風機本体
【図１】
2019507683.tif 000003
【図２】
2019507683.tif 000004
【国際調査報告】
2019507683.tif 000005
2019507683.tif 000006
2019507683.tif 000007
2019507683.tif 000008